(57)【要約】【課題】施錠・開錠に支障が生じにくい、自動的に施錠状態になるかばん錠を提供する。【解決手段】錠体１の内側には、掛止部材９を回動させる付勢部材３３と、所定位置で付勢部材３３に接触してその作動を制止する制止板１４と、制止板１４にその後方から当接する板バネ２４を設け、この板バネ２４で制止板１４を押さえることにより付勢部材３３が作動しない状態が保持されるようにしており、さらに、制止板１４は錠体１の前方に突出する突出片１４ａを有しており、掛止板２の挿通孔３に掛止部材９が挿通して前記突出片１４ａが掛止板によって押し込まれると、板バネ２４に抗して制止板１４が移動して付勢部材３３の制止状態が解除されることにより、自動的に掛止部材９が所定角度回動して施錠状態になるようにしている。【選択図】図３
2010229723.tif 000002
【特許請求の範囲】
【請求項１】
かばん本体に固定する錠体（１）と、かばんの蓋体に取り付ける掛止板（２）とを備え、錠体（１）は、掛止板（２）に穿った挿通孔（３）に挿通させ所定角度回動させると施錠状態になるようにした掛止部材（９）を枢支しており、錠体（１）の内側には、掛止部材（９）を回動させる付勢部材（３３）と、所定位置で付勢部材（３３）に接触してその作動を制止する制止板（１４）と、制止板（１４）にその後方から当接する板バネ（２４）を設け、この板バネ（２４）で制止板（１４）を押さえることにより付勢部材（３３）が作動しない状態が保持されるようにしており、さらに、制止板（１４）は錠体（１）の前方に突出する突出片（１４ａ）を有しており、掛止板（２）の挿通孔（３）に掛止部材（９）が挿通して前記突出片（１４ａ）が掛止板（２）によって押し込まれると、板バネ（２４）に抗して制止板（１４）が移動して付勢部材（３３）の制止状態が解除されることにより、自動的に掛止部材（９）が所定角度回動して施錠状態になるようにしていることを特徴とするかばん錠。
【請求項２】
制止板（１４）の略中央部に板バネ（２４）が接触するようにしている請求項１記載のかばん錠。
【請求項３】
錠体（１）の内側に固定された箱体（５）の内部に付勢部材（３３）、制止板（１４）、及び板バネ（２４）が設けられている請求項１又は２記載のかばん錠。
【発明の詳細な説明】
【技術分野】
【０００１】
この発明は、主にランドセルに用いられ、施錠操作が非常に簡単に行えるかばん錠に関するものである。
【背景技術】
【０００２】
従来のかばん錠としては、特許文献１に記載のものがある。このかばん錠は、錠体１と掛止板２とを備え、錠体１は掛止部材９を回動可能に枢支し、掛止部材９を回動させるコイルばね１１及び回動制限片１２を設けるとともに、回動制限片１２に係止させる制止板１４を設け、そして、前記制止板１４の他端にこの制止板１４を押し下げる方向に作用するコイルばね２４を設け、さらに前記制止板１４の中間部に制止片１４ａを突設し、この制止片１４ａを掛止部材９の手前において錠体１表面の一個所に突出させたものとしている。
【０００３】
このかばん錠は、掛止板２の挿通孔３を掛止部材９に嵌めると、錠体１表面に突出した制止片１４ａが掛止板２によって押し込まれて、回動制限片１２と制止板１４の係止状態が解除されることにより、掛止部材９が自動的に回動して施錠状態になるため、施錠操作を簡単に行うことができる。
【０００４】
ところで、この種のかばん錠は、近年、小型化・軽量化が求められており、出願人においても、前記かばん錠の各構成部材を小型化することに取り組んでいるが、制止板１４を押し下げる方向に作用するコイルばね２４を小型化したものでは十分な弾発力を得られず、制止板１４がうまく機能しないため、施錠・開錠に支障が生じてしまう。
【先行技術文献】
【特許文献】
【０００５】
【特許文献１】特開２００７−７１０１３号公報
【発明の概要】
【発明が解決しようとする課題】
【０００６】
そこで、この発明は、施錠・開錠に支障が生じにくい、自動的に施錠状態になるかばん錠を提供することを課題とする。
【課題を解決するための手段】
【０００７】
前記課題を解決するため、この発明は次のような技術的手段を講じている。
【０００８】
この発明のかばん錠は、かばん本体に固定する錠体１と、かばんの蓋体に取り付ける掛止板２とを備え、錠体１は、掛止板２に穿った挿通孔３に挿通させ所定角度回動させると施錠状態になるようにした掛止部材９を枢支しており、錠体１の内側には、掛止部材９を回動させる付勢部材３３と、所定位置で付勢部材３３に接触してその作動を制止する制止板１４と、制止板１４にその後方から当接する板バネ２４を設け、この板バネ２４で制止板１４を押さえることにより付勢部材３３が作動しない状態が保持されるようにしており、さらに、制止板１４は錠体１の前方に突出する突出片１４ａを有しており、掛止板２の挿通孔３に掛止部材９が挿通して前記突出片１４ａが掛止板２によって押し込まれると、板バネ２４に抗して制止板１４が移動して付勢部材３３の制止状態が解除されることにより、自動的に掛止部材９が所定角度回動して施錠状態になるようにしている。
【０００９】
さらに、制止板１４の略中央部に板バネ２４が接触するようにしたものとすることができる。
【００１０】
また、錠体１の内側に固定された箱体５の内部に付勢部材３３、制止板１４、及び板バネ２４が設けられたものとすることができる。
【発明の効果】
【００１１】
この発明のかばん錠は、上述のような構成を有しており、板バネで制止板を押さえる構造としたため、施錠・開錠に支障が生じにくいものとなっている。特に、かばん錠を小型化する場合に有利である。
【図面の簡単な説明】
【００１２】
【図１】この発明の一実施形態のかばん錠の錠体を裏側（後方）から見た状態の斜視図である。
【図２】前記かばん錠の錠体を、箱体の蓋部を外して裏側から見た状態の斜視図である。
【図３】前記かばん錠の錠体の分解斜視図である。
【図４】前記かばん錠の解錠状態を示す平面図である。
【図５】図４に示すこの発明のかばん錠を、箱体の蓋部を外して裏側から見た状態の平面図である。
【図６】図４中のＡ−Ａ線によるこの発明のかばん錠の要部断面図である。
【図７】この発明のかばん錠の施錠状態を示す平面図である。
【図８】図７に示すこの発明のかばん錠を、箱体の蓋部を外して裏側から見た状態の平面図である。
【図９】図７中のＢ−Ｂ線によるこの発明のかばん錠の要部断面図である。
【発明を実施するための形態】
【００１３】
以下、この発明の好適な実施形態を、図面を参照して説明する。
【００１４】
このかばん錠は、かばん本体に固定する錠体１と、かばんの蓋体に取り付ける掛止板２とを備え、錠体１は、掛止板２に穿った挿通孔３に挿通させ所定角度回動させると施錠状態になるようにした掛止部材９を枢支しており、錠体１の内側には、掛止部材９を回動させる付勢部材３３と、所定位置で付勢部材３３に接触してその作動を制止する制止板１４と、制止板１４にその後方から当接する板バネ２４を設け、この板バネ２４で制止板１４を押さえることにより付勢部材３３が作動しない状態が保持されるようにしており、さらに、制止板１４は錠体１の前方に突出する突出片１４ａを有しており、掛止板２の挿通孔３に掛止部材９が挿通して前記突出片１４ａが掛止板２によって押し込まれると、板バネ２４に抗して制止板１４が移動して付勢部材３３の制止状態が解除されることにより、自動的に掛止部材９が所定角度回動して施錠状態になるようにしたものである。
【００１５】
錠体１は、任意の外形状および模様を有しており、掛止板２に穿った挿通孔３に係合する係止突体４を錠体１表面中央部に突設すると共に、この錠体１とは別体とした箱体５を前記係止突体４に設けた止着体６により錠体１内部に固定したものとしている。
【００１６】
前記係止突体４を突設すると共に、箱体５を固定するには、係止突体４の底面４ａに止着体６を設け、この止着体６を錠体１に設けた通孔７に挿入し、さらに箱体５の止着孔８に挿入して、止着体６の先端部をかしめたものとしている。
【００１７】
前記係止突体４の表面側（前方）には、外形が略同形で前後方向に奥行きのある略直方体状の掛止部材９が回動可能にされている。掛止部材９は、その後方に枢軸１０が一体に形成されており、錠体１に枢支されている。
【００１８】
錠体１の内部には、掛止部材９を回動させる方向に作用する付勢部材３３を設けている。付勢部材３３は、コイルばね１１と回動制限片１２からなる。コイルばね１１は、その巻部の内側に枢軸１０を挿通させ、一端を箱体５の側面に係止させ、他端を枢軸１０に固着した回動制限片１２に係止させている。
【００１９】
回動制限片１２は、前記箱体５内に一端を枢支して設けた制止板１４に係止される第一フランジ１２ａ、および箱体５内に設けた係止体１３に係止される第二フランジ１２ｂを突出したものとしている。第一フランジ１２ａには、制止板１４に摺接する傾斜壁部１５ａが形成され、さらにこの傾斜壁部１５ａの最上端よりに、制止板１４の一側部に係止される垂直壁部１５ｂが形成されている。第二フランジ１２ｂには、箱体５に内に設けた係止体１３に係止される水平当部１６が形成されている。
【００２０】
前記箱体５は、底面の中央に通孔１７が設けられると共に、側面の上端に係止片１８が設けられた本体部５ａ（前側）と、上面の中央に止着孔１９が設けられると共に、上面と側面の境目に係止孔２０が設けられた蓋部５ｂ（後側）とからなる。
【００２１】
そして、係止突体４に設けた通孔２１、および錠体１に設けた通孔２２を通過させて、本体部５ａの通孔１７に掛止部材９の枢軸１０を挿入し、この枢軸１０を蓋部５ｂの止着孔１９に挿入して、ワッシャー２３を介して枢軸１０の先端をかしめ、さらに本体部５ａの係止片１８を蓋部５ｂの係止孔２０に挿入して、係止片１８を折り曲げることにより、本体部５ａに蓋部５ｂを結合したものとしている。
【００２２】
さらに、本体部５ａには、前記係止体１３が設けられると共に、後に述べる制止板１４を前後に移動可能に支持する支持体２５,２９が設けられ、さらに後に述べる永久磁石２６の収容部２７が設けられている。
【００２３】
前記掛止部材９は、回動制限片１２の第一フランジ１２ａが制止板１４に係止された状態で、係止突体４と一致した位置となって停止するようにしており、回動制限片１２の第二フランジ１２ｂが係止体１３に係止された状態で、係止突体４と９０度回動した位置となって停止するようにしている。
【００２４】
前記制止板１４は、箱体５内において前後方向に移動可能に設けられている。制止板１４の左右両端部には、長尺方向が互いに直角な孔２８，３０が形成されており、箱体５の本体部５ａの内側において後方に突出するように設けられた長尺方向が互いに直角な支持体２５，２９が、これらの孔２８，３０を貫通することにより、制止板１４が前後方向に移動可能に支持されている。
【００２５】
また、制止板１４は、箱体５の蓋部５ｂの内側に設けられた板バネ２４によって、前方に押さえられている。板バネ２４は、鋼板その他適宜の素材からなるもので、略長方形の固定部２４ａと先端側に向かって細くなった台形状の接触部２４ｂを有するとともに、蓋部５ｂの内面の止着孔１９の周囲部分が入る孔２４ｃを有する形状としている。
【００２６】
板バネ２４は、固定部２４ａと接触部２４ｂとの境界で曲げられており、固定部２４ａは、その両側が蓋部５ｂに形成された折り曲げ片３４によって蓋部５ｂの内面に接した状態で固定され、接触部２４ｂは、蓋部５ｂの内面から少し離れるように固定部２４ａに対して傾斜している。また、接触部２４ｂはその先端が制止板１４の表面の略中央部に接触するようにしている。接触部２４ｂの先端は、後述のビス１４ｂに接触しないように先が２つに分かれた形状となっている。
【００２７】
前記制止板１４の中間部には、制止片１４ａを前方に突設している。制止片１４ａは、ビス１４ｂにより固定された短い丸棒状のものとしている。この制止片１４ａは、箱体５の本体部５ａに設けた通孔３１に挿入し、前記掛止部材９の手前において錠体１に設けた突出孔３２から、錠体１表面の一個所に突出させている。また、蓋部５ｂの内面には、制止片１４ａが押し込まれたときにビス１４ｂの頭部が入る窪み３５が形成されている。
【００２８】
前記永久磁石２６は、掛止板２に磁力が作用するようにしており、錠体１と箱体５の間に装着したものとしている。錠体１と箱体５の間に永久磁石２６を装着したものとするには、箱体５に設けた収容部２７に永久磁石２６を嵌合して、この箱体５と錠体１とで挟み込んだものとしている。なお、永久磁石２６は、図示したものは角棒形状としているが、適宜の形状に変更することができる。
【００２９】
このかばん錠は、前記板バネ２４を使用することにより、その対応箇所にコイルばねを使用した特許文献１に記載のものよりも、大きさがコンパクトになっている。また、図示したように制止板１４が左右両端間の中間部分が隆起したような形状で、蓋部５ｂとの間隔が狭い場合でも、当該間隔に板バネ２４を入れて、制止板１４の略中央部を押さえることができるため、特定箇所に集中的に負担がかかりにくい構造であり、故障しにくくなる。
【００３０】
以上のように構成したこの発明のかばん錠は、図４〜６に示した状態から、掛止板２の挿通孔３を掛止部材９に嵌めると、掛止板２は永久磁石２６に吸着されて錠体１表面にいったん仮り止めされる。この状態から掛止板２を押さえると、錠体１表面に突出した制止片１４ａがこの掛止板２によって押し込まれるため、制止板１４が板バネ２４に抗して後方に移動し、この制止板１４の側部と付勢部材３３の回動制限片１２の第一フランジ１２ａの垂直壁部１５ｂとの係合が解除される。
【００３１】
そして、制止板１４との係合が解除された付勢部材３３の回動制限片１２は、コイルばね１１の作用によって９０度回動して、第二フランジ１２ｂの水平当部１６が係止体１３に係合して停止する。すると、この回動制限片１２に固着した掛止部材９の枢軸１０も９０度回動し、掛止部材９が係止突体４と一致した位置から、自動的に９０度回動した位置となって停止し施錠状態になり、図７〜９に示したように、錠体１に掛止板２を止めておくことができる。
【００３２】
前記図７〜９に示した施錠状態から、掛止部材９を指先で摘んで、逆に９０度回動させると、回動制限片１２の第一フランジ１２ａの傾斜壁部１５ａが制止板１４に摺接して回動し、この傾斜壁部１５ａが制止板１４を通り過ぎると、制止板１４は板バネ２４により押し下げられ、この制止板１４の側部と第一フランジ１２ａの垂直壁部１５ｂとが再び係合して、回動制限片１２は停止する。すると、前記掛止部材９が係止突体４と９０度回動した位置から、係止突体４と一致した位置となって停止し解錠状態になり、図４〜６に示したように、錠体１から掛止板２を外すことができる。
【００３３】
以上がこの発明の好適な実施形態であるが、この発明は上述の実施形態の構成に限定されるものではなく、素材、形状、寸法等を適宜変更して実施することができる。
【符号の説明】
【００３４】
１  錠体
２  掛止板
３  挿通孔
５  箱体
９  掛止部材
１４  制止板
１４ａ  突出片
２４  板バネ
３３  付勢部材
【図１】
2010229723.tif 000003
【図２】
2010229723.tif 000004
【図３】
2010229723.tif 000005
【図４】
2010229723.tif 000006
【図５】
2010229723.tif 000007
【図６】
2010229723.tif 000008
【図７】
2010229723.tif 000009
【図８】
2010229723.tif 000010
【図９】
2010229723.tif 000011